(57)【要約】【課題】第２通信呼（例えば、ＣＳ呼）をサポートしていない第１通信システムにおいて第２通信呼の設定が要求された場合に、第１通信システムから第２通信呼をサポートする第２通信システムへの遷移を適切に行うことを可能とする移動通信システム、ネットワーク装置及び移動通信方法を提供する。【解決手段】第２通信システムは、第１通信システムから第２通信システムへの遷移手順において、設定が要求された第２通信呼の優先度が第１優先度である場合に、第２通信システムと移動通信端末との間で第１通信呼のベアラを設定せずに、第１通信呼の設定はできないが、第２通信呼の設定は可能であることを第１通信システムに通知する。第１通信システムは、第１通信呼の設定はできないが、第２通信呼の設定は可能であることが通知された場合に、ハンドオーバ手順を中止して、他の手順による前記第２通信システムへの切り替えを移動通信端末に指示する。【選択図】  図３
2011166437.tif 000002
【特許請求の範囲】
【請求項１】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムであって、
前記第２通信システムは、前記ハンドオーバ手順において、前記設定が要求された第２通信呼の優先度を識別し、
前記第２通信システムは、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知し、
前記第１通信システムは、前記第１通信呼の設定はできないが、前記第２通信呼の設定は可能であることが通知された場合に、前記ハンドオーバ手順を中止して、他の手順による前記第２通信システムへの切り替えを移動通信端末に指示することを特徴とする移動通信システム。
【請求項２】
前記第１通信システムは、前記ハンドオーバ手順において、前記設定が要求された第２通信呼の優先度を前記第２通信システムに通知することを特徴とする請求項１に記載の移動通信システム。
【請求項３】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記ハンドオーバ手順において、前記第１通信呼の設定はできないが、前記第２通信呼の設定は可能であることを前記第１通信システムから受信する受信部と、
前記第１通信呼の設定はできないが、前記第２通信呼の設定は可能であることが通知された場合に、前記ハンドオーバ手順を中止して、他の手順による前記第２通信システムへの切り替えを移動通信端末に指示するように構成された指示部とを備えることを特徴とするネットワーク装置。
【請求項４】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記設定が要求された第２通信呼の優先度が第１優先度である場合に、前記ハンドオーバ手順を中止して、他の手順による前記第２通信システムへの切り替えを移動通信端末に指示するように構成された指示部を備えることを特徴とするネットワーク装置。
【請求項５】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第２通信システムに設けられるネットワーク装置であって、
前記ハンドオーバ手順において、前記設定が要求された第２通信呼の優先度を識別するように構成された識別部と、
前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するように構成された通知部とを備えることを特徴とするネットワーク装置。
【請求項６】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムに適用される移動通信方法であって、
前記第２通信システムが、前記第１通信システムから前記第２通信システムへの遷移手順において、前記設定が要求された第２通信呼の優先度を識別するステップと、
前記第２通信システムが、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するステップと、
前記第１通信システムが、前記第１通信呼の設定はできないが、前記第２通信呼の設定は可能であることが通知された場合に、前記ハンドオーバ手順を中止して、他の手順による前記第２通信システムへの切り替えを移動通信端末に指示するステップとを備えることを特徴とする移動通信方法。
【発明の詳細な説明】
【技術分野】
【０００１】
本発明は、第１通信システム及び第２通信システムを含む移動通信システム、移動通信システムに設けられるネットワーク装置、移動通信システムに適用される移動通信方法に関する。
【背景技術】
【０００２】
近年、ＣＳ（Ｃｉｒｃｕｉｔ  Ｓｗｉｔｃｈｉｎｇ）呼をサポートしていない第１通信システム（第１ＲＡＴ（Ｒａｄｉｏ  Ａｃｃｅｓｓ  Ｔｅｃｈｎｏｒｏｌｇｙ）が知られている。第１通信システムは、例えば、ＬＴＥ（Ｌｏｎｇ  Ｔｅｒｍ  Ｅｖｏｌｕｔｉｏｎ）に対応する通信システムである。
【０００３】
このような第１通信システムにおける移動通信端末（ＵＥ）のＣＳ呼の着信又は発信を制御する方式として、ＣＳ  ＦＡＬＬ  ＢＡＣＫ（以下、ＣＳＦＢ）が知られている（例えば、非特許文献１〜５）。
【０００４】
ＣＳＦＢでは、ＣＳ呼をサポートする第２通信システム（第２ＲＡＴ）への遷移が移動通信端末（ＵＥ）に指示される。ここで、第２通信システムへの遷移方法として、第１通信システムで設定されたＰＳ（Ｐａｃｋｅｔ  Ｓｗｉｔｃｈｉｎｇ）呼を第２通信システムにＩｎｔｅｒ−Ｒａｔハンドオーバする方式（以下、ＰＳハンドオーバ）が知られている。ＰＳハンドオーバでは、第２通信システムでＰＳ呼が設定された後に、第２通信システムでＣＳ呼が設定される。
【０００５】
具体的には、ＰＳハンドオーバにおいて、移動通信端末が第１通信システムで待ち受け中である場合に、移動通信端末と第１通信システムとの間でＰＳ呼が設定された上で、第１通信システムで設定されたＰＳ呼が第２通信システムに引き継がれる。
【０００６】
或いは、ＰＳハンドオーバにおいて、移動通信端末が第１通信システムで通信中である場合に、移動通信端末と第１通信システムとの間で設定されているＰＳ呼が第２通信システムに引き継がれる。
【０００７】
なお、ＰＳハンドオーバは、特に、第１通信システムでＰＳ通信中である場合に、当該ＰＳ呼を第２通信システムに引き継ぐことによって、ＰＳ通信をとぎれさせずに、第２通信システムに移動通信端末が接続できる点で有利とされている。
【先行技術文献】
【非特許文献】
【０００８】
【非特許文献１】３ＧＰＰ  ＴＳ２３．２７２  Ｖ９．２．０
【非特許文献２】３ＧＰＰ  ＴＳ２５．３３１  Ｖ９．１．０
【非特許文献３】３ＧＰＰ  ＴＳ３６．３３１  Ｖ９．１．０
【非特許文献４】３ＧＰＰ  ＴＳ２５．４１３  Ｖ９．１．０
【非特許文献５】３ＧＰＰ  ＴＳ３６．４１３  Ｖ９．１．０
【発明の概要】
【発明が解決しようとする課題】
【０００９】
ここで、ＣＳ呼としては、通常音声呼や緊急呼が考えられる。上述した技術では、第２通信システムにおいて、Ｉｎｔｅｒ−Ｒａｔハンドオーバが実行された時点では、Ｉｎｔｅｒ−Ｒａｔハンドオーバ後に設定される可能性があるＣＳ呼の種別を識別することができないため、例えば、災害時などにおいて、災害伝言板へのアクセスが集中して、第２通信システムのＰＫＴリソースが不足している場合には、第２通信システムでＰＳ呼が設定されずに、Ｉｎｔｅｒ−Ｒａｔハンドオーバが失敗する。すなわち、ＣＳ呼が緊急呼であっても、Ｉｎｔｅｒ−Ｒａｔハンドオーバが失敗してしまい、後続のＣＳ呼が失敗したり、後続のＣＳ呼の設定が遅延したりする可能性がある。
【００１０】
そこで、本発明は、上述した課題を解決するためになされたものであり、第２通信呼（例えば、ＣＳ呼）をサポートしていない第１通信システムにおいて第２通信呼の設定が要求された場合に、第１通信システムから第２通信呼をサポートする第２通信システムへの遷移を適切に行うことを可能とする移動通信システム、ネットワーク装置及び移動通信方法を提供することを目的とする。
【課題を解決するための手段】
【００１１】
第１の特徴に係る移動通信システムは、第１通信呼をサポートしており、第２通信呼をサポートしていない第１通信システムと、前記第１通信呼及び前記第２通信呼の双方をサポートする第２通信システムとを備える。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。前記第２通信システムは、前記ハンドオーバ手順において、前記設定が要求された第２通信呼の優先度を識別する。前記第２通信システムは、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知する。前記第１通信システムは、前記第１通信呼の設定はできないが、前記第２通信呼の設定は可能であることが通知された場合に、前記ハンドオーバ手順を中止して、他の手順による前記第２通信システムへの切り替えを移動通信端末に指示する。
【００１２】
第１の特徴において、前記第１通信システムは、前記ハンドオーバ手順において、前記設定が要求された第２通信呼の優先度を前記第２通信システムに通知する。
【００１３】
第２の特徴に係るネットワーク装置は、第１通信呼をサポートしており、第２通信呼をサポートしていない第１通信システムと、前記第１通信呼及び前記第２通信呼の双方をサポートする第２通信システムとを備えた移動通信システムにおいて、前記第１通信システムに設けられる。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記ハンドオーバ手順において、前記第１通信呼の設定はできないが、前記第２通信呼の設定は可能であることを前記第１通信システムから受信する受信部と、前記第１通信呼の設定はできないが、前記第２通信呼の設定は可能であることが通知された場合に、前記ハンドオーバ手順を中止して、他の手順による前記第２通信システムへの切り替えを移動通信端末に指示するように構成された指示部とを備える。
【００１４】
第３の特徴に係るネットワーク装置は、第１通信呼をサポートしており、第２通信呼をサポートしていない第１通信システムと、前記第１通信呼及び前記第２通信呼の双方をサポートする第２通信システムとを備えた移動通信システムにおいて、前記第１通信システムに設けられる。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記設定が要求された第２通信呼の優先度が第１優先度である場合に、前記ハンドオーバ手順を中止して、他の手順による前記第２通信システムへの切り替えを移動通信端末に指示するように構成された指示部を備える。
【００１５】
第３の特徴に係るネットワーク装置は、第１通信呼をサポートしており、第２通信呼をサポートしていない第１通信システムと、前記第１通信呼及び前記第２通信呼の双方をサポートする第２通信システムとを備えた移動通信システムにおいて、前記第２通信システムに設けられる。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記ハンドオーバ手順において、前記設定が要求された第２通信呼の優先度を識別するように構成された識別部と、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するように構成された通知部とを備える。
【００１６】
第３の特徴に係る移動通信方法は、第１通信呼をサポートしており、第２通信呼をサポートしていない第１通信システムと、前記第１通信呼及び前記第２通信呼の双方をサポートする第２通信システムとを備えた移動通信システムに適用される。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。移動通信方法は、前記第２通信システムが、前記第１通信システムから前記第２通信システムへの遷移手順において、前記設定が要求された第２通信呼の優先度を識別するステップと、前記第２通信システムが、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するステップと、前記第１通信システムが、前記第１通信呼の設定はできないが、前記第２通信呼の設定は可能であることが通知された場合に、前記ハンドオーバ手順を中止して、他の手順による前記第２通信システムへの切り替えを移動通信端末に指示するステップとを備えるとを備える。
【発明の効果】
【００１７】
本発明によれば、第２通信呼（例えば、ＣＳ呼）をサポートしていない第１通信システムにおいて第２通信呼の設定が要求された場合に、第１通信システムから第２通信呼をサポートする第２通信システムへの遷移を適切に行うことを可能とする移動通信システム、ネットワーク装置及び移動通信方法を提供することができる。
【図面の簡単な説明】
【００１８】
【図１】第１実施形態に係る移動通信システム１００を示す図である。
【図２】第１実施形態に係るネットワーク装置２０を示すブロック図である。
【図３】第１実施形態に係るネットワーク装置３０を示すブロック図である。
【図４】第１実施形態に係る移動通信システム１００の動作を示すシーケンス図である。
【図５】第１実施形態に係る移動通信システム１００の動作を示すシーケンス図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る移動通信システムは、第１通信呼をサポートしており、第２通信呼をサポートしていない第１通信システムと、第１通信呼及び第２通信呼の双方をサポートする第２通信システムとを備える。移動通信システムは、第１通信システムにおいて第２通信呼の設定が要求された場合に、第１通信システムと移動通信端末との間で設定される第１通信呼のベアラを第２通信システムと移動通信端末との間で設定される第１通信呼のベアラに切り替えるハンドオーバ手順（ＰＳハンドオーバ）を行うように構成される。
【００２２】
第２通信システムは、ハンドオーバ手順（ＰＳハンドオーバ）において、設定が要求された第２通信呼の優先度を識別する。第２通信システムは、設定が要求された第２通信呼の優先度が第１優先度である場合に、第２通信システムと移動通信端末との間で第１通信呼のベアラを設定せずに、第１通信呼の設定はできないが、第２通信呼の設定は可能であることを第１通信システムに通知する。第１通信システムは、第１通信呼はできないが、第２通信呼の設定は可能であることが通知された場合に、ハンドオーバ手順を中止して、他の手順による前記第２通信システムへの切り替えを移動通信端末に指示する。
【００２３】
なお、他の手順は、例えば、Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）である。
【００２４】
このように、第１通信呼の設定はできないが、第２通信呼の設定は可能であることが通知された場合に、ハンドオーバ手順が中止されて、他の手順によって第２通信システムへの遷移が行われ、第２通信システムと移動通信端末との間で、設定が要求された第２通信呼が設定される。
【００２５】
従って、第１通信システムが他の手順を開始することによって、ＰＫＴリソースの不足などに起因するＰＳハンドオーバの失敗を考慮せずに、第２通信システムと移動通信端末との間で第２通信呼を設定することができる。
【００２６】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２７】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２８】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局２１０（以下、ｅＮＢ２１０）と、ＭＭＥ２３０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２９】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、基地局１１０（以下、ＮＢ１１０）と、ＲＮＣ１２０と、ＳＧＳＮ１３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００３０】
ここで、第１通信システムは、第１通信呼（例えば、ＰＳ呼）をサポートしており、第２通信呼（例えば、ＣＳ呼）をサポートしていない。また、第２通信システムは、第１通信呼（例えば、ＰＳ呼）及び第２通信呼（例えば、ＣＳ呼）の双方をサポートしている。
【００３１】
また、第１通信システムにおけるＵＥ１０の第２通信呼の着信又は発信を制御する方式として、ＣＳ  ＦＡＬＬ  ＢＡＣＫ（以下、ＣＳＦＢ）が知られている。
【００３２】
ＣＳＦＢでは、第２通信呼をサポートする第２通信システムへの遷移がＵＥ１０に指示される。ここで、第２通信システムへの遷移方法として、第１通信システムで設定される第１通信呼を第２通信システムにＩｎｔｅｒ−Ｒａｔハンドオーバする方式（以下、ＰＳハンドオーバ）が考えられる。
【００３３】
詳細には、ＰＳハンドオーバでは、第２通信システムとＵＥ１０との間で第１通信呼のベアラが新たに設定され、第１通信システムとＵＥ１０との間で設定される第１通信呼のベアラを第２通信システムとＵＥ１０との間で設定される第１通信呼のベアラに切り替える。その後、第２通信システムとＵＥ１０との間で第２通信呼が設定される。
【００３４】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００３５】
ＮＢ１１０は、セル１１１を有しており、セル１１１に存在するＵＥ１０と無線通信を行う装置（ＮｏｄｅＢ）である。
【００３６】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３７】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３８】
ｅＮＢ２１０は、セル２１１を有しており、セル２１１に存在するＵＥ１０と無線通信を行う装置（ｅｖｏｌｖｅｄ  ＮｏｄｅＢ）である。
【００３９】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００４０】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００４１】
（ネットワーク装置の構成）
以下において、第１実施形態に係るネットワーク装置の構成について、図面を参照しながら説明する。図２は、第１実施形態に係るネットワーク装置２０を示す図である。
【００４２】
第１実施形態では、ネットワーク装置２０は、第２通信システムに設けられる。例えば、ネットワーク装置２０は、ＲＮＣ１２０である。
【００４３】
なお、第１実施形態では、第１通信システムにおいて、第２通信呼の着信又は発信によって、第２通信呼の設定が要求された場合に、ＣＳＦＢの手順として、ＰＳハンドオーバの手順が開始するケースについて説明する。以下においては、このようなケースにおいて、第２通信システムに設けられるネットワーク装置２０の機能について主として説明する。
【００４４】
図２に示すように、ネットワーク装置２０は、通信部２１と、識別部２２と、判定部２３と、設定部２４とを有する。
【００４５】
通信部２１は、第１通信システムに設けられるネットワーク装置（例えば、ｅＮＢ２１０）と通信を行う。例えば、通信部２１は、第１通信システムにおいて設定が要求される第２通信呼の優先度を受信する。
【００４６】
ここで、第２通信呼の優先度は、例えば、第１優先度、第１優先度よりも低い第２優先度などを含む。例えば、第１優先度は、緊急呼を特定する情報要素であり、第２優先度は、通常音声呼を識別する情報要素である。なお、第２通信呼の優先度は、Ｓ１ＡＰに含まれる“Ｍｅｓｓａｇｅ  Ｃａｕｓｅ”であってもよい。
【００４７】
第２通信呼の優先度は、第１通信システムに設けられる他のネットワーク装置（ｅＮＢ２１０又はＭＭＥ２３０）からＳＧＳＮ１３０を経由して通知される。例えば、ＣＳＦＢ（ＰＳハンドオーバ）の手順において、ｅＮＢ２１０は、第１通信システムから第２通信システムへのＰＳハンドオーバを要求するメッセージ（ＨＡＮＤＯＶＥＲ  ＲＥＱＵＩＲＥＤ）に第２通信呼の優先度を設定する。このようなメッセージ（ＨＡＮＤＯＶＥＲ  ＲＥＱＵＩＲＥＤ）は、ｅＮＢ２１０からＭＭＥ２３０に対して送信される。或いは、ＭＭＥ２３０は、ｅＮＢ２１０から受信するメッセージ（ＨＡＮＤＯＶＥＲ  ＲＥＱＵＩＲＥＤ）に第２通信呼の優先度を設定してもよい。このようなメッセージ（ＨＡＮＤＯＶＥＲ  ＲＥＱＵＩＲＥＤ）は、ＭＭＥ２３０からＳＧＳＮ１３０を経由してＲＮＣ１２０に対して送信される。
【００４８】
識別部２２は、第１通信システムにおいて設定が要求された第２通信呼の優先度を識別する。具体的には、識別部２２は、ＰＳハンドオーバの手順で他のネットワーク装置から受信するメッセージ（例えば、“ＲＥＬＯＣＡＴＩＯＮ  ＲＥＱＵＥＳＴ”）に基づいて、設定が要求された第２通信呼の優先度を識別する。
【００４９】
判定部２３は、識別部２２によって識別された第２通信呼の優先度の識別子に基づいて、第２通信システムとＵＥ１０との間で第１通信呼のベアラを設定するか否かを判定する。
【００５０】
設定部２４は、第２通信システムとＵＥ１０との間で第１通信呼のベアラを設定する。或いは、設定部２４は、第２通信システムとＵＥ１０との間で第２通信呼のベアラを設定する。
【００５１】
具体的には、設定部２４は、第１通信システムにおいて設定が要求された第２通信呼の優先度が第１優先度である場合に、第２通信システムとＵＥ１０との間で第１通信呼のベアラを設定しない。さらに、設定部２４は、第１通信呼の設定はできないが、第２通信呼の設定は可能であることを第１通信システムに通知するように通信部２１に指示する。
【００５２】
例えば、設定部２４は、ＣＳＦＢに係るＣＳ呼が緊急呼である場合に、第２通信システムとＵＥ１０との間でＰＳベアラを設定せずに、ＰＳベアラは設定できないが、ＣＳベアラの設定は可能であることを第１通信システムに通知するように通信部２１に指示する。
【００５３】
一方で、第１通信システムにおいて設定が要求された第２通信呼の優先度が第２優先度である場合に、第２通信システムとＵＥ１０との間で第１通信呼のベアラを設定する。
【００５４】
例えば、設定部２４は、ＣＳＦＢに係るＣＳ呼が通常音声呼である場合に、第２通信システムとＵＥ１０との間でＰＳベアラを設定する。
【００５５】
（ネットワーク装置の構成）
以下において、第１実施形態に係るネットワーク装置の構成について、図面を参照しながら説明する。図３は、第１実施形態に係るネットワーク装置３０を示す図である。
【００５６】
第１実施形態では、ネットワーク装置３０は、第１通信システムに設けられる。例えば、ネットワーク装置３０は、ｅＮＢ２１０である。
【００５７】
なお、第１実施形態では、ＣＳＦＢの手順として、ＰＳハンドオーバの手順が開始するケースにおいて、第１通信システムに設けられるネットワーク装置３０の機能について主として説明する。
【００５８】
図３に示すように、ネットワーク装置３０は、通信部３１と、優先度設定部３２と、遷移処理部３３とを有する。
【００５９】
通信部３１は、第２通信システムに設けられるネットワーク装置２０（例えば、ＲＮＣ１２０）と通信を行う。例えば、通信部３１は、第１通信システムにおいて設定が要求される第２通信呼の優先度を送信する。
【００６０】
通信部３１は、ＵＥ１０に対する着信要求（ｐａｇｉｎｇ）を上位ノード（ＭＭＥ２３０）から受信する。又は、通信部３１は、ＵＥ１０からの発信要求（ｏｒｉｇｉｎａｔｉｏｎ）をＵＥ１０から受信する。
【００６１】
優先度設定部３２は、第１通信システムにおいて、着信又は発信によって設定が要求される第２通信呼（例えば、ＣＳ呼）の優先度を設定する。
【００６２】
具体的には、優先度設定部３２は、着信要求や発信要求に係る第２通信呼の種別に応じて、第２通信呼の優先度を設定する。例えば、優先度設定部３２は、ＭＭＥ２３０から受信する着信要求（Ｐａｇｉｎｇ）に含まれる“Ｐａｇｉｎｇ  Ｃａｕｓｅ”に基づいて、第２通信呼の優先度を設定する。優先度設定部３２は、無線接続の設定を要求するメッセージ（ＲＲＣ  ＣＯＮＮＥＣＴＩＯＮ  ＲＥＱＵＥＳＴ）に含まれる“Ｅｓｔａｂｌｉｓｈｍｅｎｔ  Ｃａｕｓｅ”に基づいて、第２通信呼の優先度を設定する。
【００６３】
例えば、優先度設定部３２は、第２通信呼が緊急呼である場合に、第１優先度を設定する。優先度設定部３２は、第２通信呼が通常音声呼である場合に、第１優先度よりも低い第２優先度を設定する。
【００６４】
優先度設定部３２は、ＰＳハンドオーバの手順において、第１通信システムから第２通信システムへのＰＳハンドオーバを要求するメッセージ（ＨＡＮＤＯＶＥＲ  ＲＥＱＵＩＲＥＤ）に第２通信呼の優先度を設定する。
【００６５】
遷移処理部３３は、第１通信システムから第２通信システムへの遷移（ＣＳＦＢ）を制御する。具体的には、遷移処理部３３は、第２通信呼の優先度に基づいて、ＣＳＦＢの方法を切り替える。
【００６６】
例えば、遷移処理部３３は、第２通信呼の優先度が第１優先度である場合には、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。具体的には、遷移処理部３３は、ＰＳベアラの設定はできないが、ＣＳベアラの設定は可能であることが通知された場合には、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。すなわち、遷移処理部３３は、他の手順による第２通信システムへの遷移をＵＥ１０に指示する。詳細には、遷移処理部３３は、このような指示情報の送信を通信部３１に指示する。
【００６７】
なお、遷移処理部３３は、他の手順による第２通信システムへの遷移に加えて、第２通信システムとＵＥ１０との間において、設定が要求された第２通信呼を設定するようにＵＥ１０に指示してもよい。
【００６８】
ここで、“Ｒｅｄｉｒｅｃｔｉｏｎ”は、ＵＥ１０を待ち受け状態（Ｉｄｌｅ状態）に遷移させた上で、第２通信システムにＵＥ１０を遷移させる手順である。“Ｒｅｄｉｒｅｃｔｉｏｎ”では、ＵＥ１０は、第２通信システムと第２通信呼の設定を新たに試みる。
【００６９】
“ＣＯＯ”は、ＵＥ１０を待ち受け状態（Ｉｄｌｅ状態）に遷移させた上で、第２通信システムにＵＥ１０を遷移させる手順である。“ＣＯＯ”では、ＵＥ１０は、第２通信システムと第１通信呼を設定した後に、第２通信システムと第２通信呼を設定する。
【００７０】
“ＳＲＶＣＣ”は、ＵＥ１０を待ち受け状態（Ｉｄｌｅ状態）に遷移させずに、第２通信システムにＵＥ１０を遷移させる手順である。“ＳＲＶＣＣ”では、ＵＥ１０は、第１通信システムと設定する第１通信呼を第２通信システムと設定する第２通信呼に切り替える。
【００７１】
遷移処理部３３は、第２通信呼の優先度が第２優先度である場合には、ＰＳハンドオーバを継続する。
【００７２】
（移動通信システムの動作）
以下において、第１実施形態に係る移動通信システムの動作について、図面を参照しながら説明する。図４及び図５は、第１実施形態に係る移動通信システム１００の動作を示すシーケンス図である。ここでは、ネットワーク装置２０がＲＮＣ１２０であるケースについて例示する。
【００７３】
以下においては、第１通信システムにおいて、第２通信呼の着信によって、第２通信呼の設定が要求された場合に、ＣＳＦＢの手順として、ＰＳハンドオーバの手順が開始するケースについて説明する。なお、第１通信呼がＰＳ呼であり、第２通信呼がＣＳ呼である。第１通信呼のベアラは、ＰＳベアラであり、第２通信呼のベアラは、ＣＳベアラである。また、第１通信システムがＬＴＥであり、第２通信システムがＵＭＴＳ（ＷＣＤＭＡ）であるケースについて例示する。
【００７４】
第１に、通常音声呼（ＣＳ呼）の着信によって、ＣＳベアラの設定が要求されるケースいついて、図４を参照しながら説明する。
【００７５】
図４に示すように、ステップ１０において、ＭＭＥ２３０は、ｅＮＢ２１０に対して、ＵＥ１０への着信（Ｐａｇｉｎｇ）を通知する。ステップ１１において、ｅＮＢ２１０は、ＵＥ１０に対して、ＵＥ１０への着信（Ｐａｇｉｎｇ）を通知する。
【００７６】
ステップ１２において、ＵＥ１０は、ＬＴＥに係るＰＳ呼の無線接続の設定を要求するメッセージ（ＲＲＣ  ＣＯＮＮＥＣＴＩＯＮ  ＲＥＱＵＥＳＴ）をｅＮＢ２１０に送信する。
【００７７】
ステップ１３において、ｅＮＢ２１０は、ＬＴＥに係るＰＳ呼の無線接続の設定を行うメッセージ（ＲＲＣ  ＣＯＮＮＥＣＴＩＯＮ  ＳＥＴＵＰ）をＵＥ１０に送信する。
【００７８】
ステップ１４において、ＵＥ１０は、ＬＴＥに係るＰＳ呼の無線接続の設定完了を通知するメッセージ（ＲＲＣ  ＣＯＮＮＥＣＴＩＯＮ  ＳＥＴＵＰ  ＣＯＭＰＬＥＴＥ）をｅＮＢ２１０に送信する。ここで、ＵＥ１０は、ＣＳＦＢを特定する情報要素（ＣＳＦＢ  Ｉｎｄｉｃａｔｏｒ）をｅＮＢ２１０に送信する。
【００７９】
ステップ１５において、ｅＮＢ２１０は、ＣＳＦＢが必要であることを示すメッセージ（Ｉｎｉｔｉａｌ  ＵＥ  Ｍｅｓｓａｇｅ）をＭＭＥ２３０に送信する。
【００８０】
ステップ１６において、ＭＭＥ２３０は、ＰＳ呼の設定を要求するメッセージ（Ｉｎｉｔｉａｌ  Ｃｏｎｔｅｘｔ  ＳＥＴＵＰ  ＲＥＱＵＥＳＴ）をｅＮＢ２１０に送信する。メッセージ（Ｉｎｉｔｉａｌ  Ｃｏｎｔｅｘｔ  ＳＥＴＵＰ  ＲＥＱＵＥＳＴ）は、ＣＳＦＢを特定する情報要素（ＣＳＦＢ  Ｉｎｄｉｃａｔｏｒ）、ＷＣＤＭＡにおけるＵＥ１０の能力などを含む。
【００８１】
ステップ１７において、ｅＮＢ２１０は、無線接続の構成変更を通知するメッセージ（ＲＲＣ  ＣＯＮＮＥＣＴＩＯＮ  ＲＥＣＯＮＦＩＧＵＲＡＴＩＯＮ）をＵＥ１０に送信する。
【００８２】
ステップ１８において、ＵＥ１０は、無線接続の構成変更の完了を通知するメッセージ（ＲＲＣ  ＣＯＮＮＥＣＴＩＯＮ  ＲＥＣＯＮＦＩＧＵＲＡＴＩＯＮ  ＣＯＭＰ）をｅＮＢ２１０に送信する。
【００８３】
ステップ１９において、ｅＮＢ２１０は、ＰＳ呼の設定の完了を通知するメッセージ（Ｉｎｉｔｉａｌ  Ｃｏｎｔｅｘｔ  ＳＥＴＵＰ  ＣＯＭＰＬＥＴＥ）をＭＭＥ２３０に送信する。
【００８４】
ステップ２０において、ｅＮＢ２１０とＵＥ１０との間において、ＰＳ呼の設定が完了する。
【００８５】
ステップ２１において、ｅＮＢ２１０は、ＬＴＥからＷＣＤＭＡへの遷移手順（ＰＳハンドオーバ）の開始を要求するメッセージ（ＨＡＮＤＯＶＥＲ  ＲＥＱＵＩＲＥＤ）をＭＭＥ２３０に送信する。例えば、ｅＮＢ２１０は、ＬＴＥにおいて設定が要求されたＣＳ呼の優先度をメッセージ（ＨＡＮＤＯＶＥＲ  ＲＥＱＵＩＲＥＤ）に設定する。
【００８６】
ステップ２２において、ＭＭＥ２３０は、メッセージ（ＨＡＮＤＯＶＥＲ  ＲＥＱＵＩＲＥＤ）をＳＧＳＮ１３０に転送する。
【００８７】
ステップ２３において、ＳＧＳＮ１３０は、ＬＴＥからＷＣＤＭＡへの遷移を要求するメッセージ（ＲＥＬＯＣＡＴＩＯＮ  ＲＥＱＵＥＳＴ）をＲＮＣ１２０に送信する。メッセージ（ＲＥＬＯＣＡＴＩＯＮ  ＲＥＱＵＥＳＴ）は、ＬＴＥにおいて設定が要求されたＣＳ呼の優先度を含む。
【００８８】
ステップ２４において、ＲＮＣ１２０は、ＣＳ呼の優先度に基づいて、ＰＳベアラを設定するか否かを判定する。図４では、ＣＳ呼が通常音声呼であるため、ＲＮＣ１２０は、ＰＳベアラを設定すると判定する。
【００８９】
ステップ２５において、ＲＮＣ１２０は、ＬＴＥからＷＣＤＭＡへの遷移要求の受け付けを通知するメッセージ（ＲＥＬＯＣＡＴＩＯＮ  ＲＥＱＵＥＳＴ  ＡＣＫＮＯＬＥＤＧＥ）をＳＧＳＮ１３０に送信する。
【００９０】
ステップ２６において、ＳＧＳＮ１３０は、メッセージ（ＲＥＬＯＣＡＴＩＯＮ  ＲＥＱＵＥＳＴ  ＡＣＫＮＯＬＥＤＧＥ）をＭＭＥ２３０に転送する。
【００９１】
ステップ２７において、ＭＭＥ２３０は、ＬＴＥからＷＣＤＭＡへの遷移を要求するメッセージ（ＨＡＮＤＯＶＥＲ  ＣＯＭＭＡＮＤ）をｅＮＢ２１０に送信する。
【００９２】
ステップ２８において、ｅＮＢ２１０は、ＬＴＥからＷＣＤＭＡへのＰＳハンドオーバを要求するメッセージ（ＭＯＢＩＬＩＴＹ  ＦＲＯＭ  ＥＵＴＲＡ  ＣＯＭＭＡＮＤ）をＵＥ１０に送信する。
【００９３】
ステップ２９において、ＵＥ１０は、ＬＴＥからＷＣＤＭＡへのＰＳハンドオーバの完了を通知するメッセージ（ＨＡＮＤＯＶＥＲ  ＴＯ  ＵＴＲＡＮ  ＣＯＭＰＬＥＴＥ）をＲＮＣ１２０に送信する。
【００９４】
ステップ３０において、ＲＮＣ１２０は、ＬＴＥからＷＣＤＭＡへの遷移の完了を通知するメッセージ（ＲＥＬＯＣＡＴＩＯＮ  ＣＯＭＰＬＥＴＥ）をＳＧＳＮ１３０に送信する。
【００９５】
ステップ３１において、ＲＮＣ１２０とＵＥ１０との間において、ＰＳ呼の設定が完了する。すなわち、ＬＴＥとＵＥ１０との間で設定されたＰＳベアラがＷＣＤＭＡとＵＥ１０との間で設定されたＰＳベアラに切り替えられる。
【００９６】
ステップ３２において、ＲＮＣ１２０とＵＥ１０との間において、ＣＳ呼が設定される。
【００９７】
第２に、緊急呼（ＣＳ呼）の着信によって、ＣＳベアラの設定が要求されるケースいついて、図５を参照しながら説明する。なお、図５では、図４と同様の処理について、同様のステップ番号を付している。また、図４と同様の処理については、その説明を省略する。
【００９８】
図５に示すように、ステップ２４Ａにおいて、ＲＮＣ１２０は、ＣＳ呼の優先度に基づいて、ＰＳベアラを設定するか否かを判定する。図５では、ＣＳ呼が緊急呼であるため、ＲＮＣ１２０は、ＰＳベアラを設定しないと判定する。
【００９９】
ステップ２５Ａにおいて、ＲＮＣ１２０は、ＬＴＥからＷＣＤＭＡへの遷移の失敗を通知するメッセージ（ＲＥＬＯＣＡＴＩＯＮ  ＦＡＩＬＵＲＥ）をＳＧＳＮ１３０に送信する。なお、メッセージ（ＲＥＬＯＣＡＴＩＯＮ  ＦＡＩＬＵＲＥ）は、ＰＳベアラの設定はできないが、ＣＳベアラの設定は可能であることを示す情報を含む。例えば、メッセージ（ＲＥＬＯＣＡＴＩＯＮ  ＦＡＩＬＵＲＥ）は、遷移の失敗理由を示す“ｃａｕｓｅ”を含む。
【０１００】
ステップ２６Ａにおいて、ＳＧＳＮ１３０は、メッセージ（ＲＥＬＯＣＡＴＩＯＮ  ＦＡＩＬＵＲＥ）をＭＭＥ２３０に転送する。
【０１０１】
ステップ２７Ａにおいて、ＭＭＥ２３０は、ＬＴＥからＷＣＤＭＡへの遷移手順（ＰＳハンドオーバ）の失敗を通知するメッセージ（ＨＡＮＤＯＶＥＲ  Ｆａｉｌｕｒｅ）をｅＮＢ２１０に送信する。
【０１０２】
ステップ２８Ａにおいて、ｅＮＢ２１０は、ＬＴＥのＰＳ呼に係る無線接続の解放を指示するメッセージ（ＲＲＣ  ＣＯＮＮＥＣＴＩＯＮ  ＲＥＬＥＡＳＥ）をＵＥ１０に送信する。なお、メッセージ（ＲＲＣ  ＣＯＮＮＥＣＴＩＯＮ  ＲＥＬＥＡＳＥ）は、ＷＣＤＭＡへの接続を指示する情報を含む。例えば、メッセージ（ＲＲＣ  ＣＯＮＮＥＣＴＩＯＮ  ＲＥＬＥＡＳＥ）は、遷移先の周波数を示す“ｒｅｄｉｒｅｃｔｅｄＣａｒｒｉｅｒＩｎｆｏ”、再選択すべきセルの優先度を示す“ｉｄｌｅＭｏｄｅＭｏｂｉｌｉｔｙＣｏｎｔｒｏｌＩｎｆｏ”を含む。詳細には、ＵＥ１０は、ＰＳハンドオーバの代替として、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。
【０１０３】
ステップ２９Ａにおいて、ＵＥ１０は、ＷＣＤＭＡに係るＣＳ呼の無線接続の設定を要求するメッセージ（ＲＲＣ  ＣＯＮＮＥＣＴＩＯＮ  ＲＥＱＵＥＳＴ）をｅＮＢ２１０に送信する。
【０１０４】
ステップ３２Ａにおいて、ＲＮＣ１２０とＵＥ１０との間において、ＣＳ呼が設定される。
【０１０５】
（作用及び効果）
実施形態では、ＲＮＣ１２０は、ＰＳハンドオーバの手順において、第１通信システムにおいて設定が要求された第２通信呼の優先度が第１優先度（例えば、緊急呼）である場合に、第２通信システムと移動通信端末との間で第１通信呼のベアラを設定せずに、第１通信呼のベアラの設定に失敗したことをｅＮＢ２１０に通知する。
【０１０６】
ｅＮＢ２１０は、第１通信呼のベアラの設定に失敗したことが通知された場合に、ＰＳハンドオーバを中止して、第２通信システムとＵＥ１０との間で、他の手段（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）によって第２通信呼を設定するようにＵＥ１０に指示する。
【０１０７】
従って、ｅＮＢ２１０が他の手順を開始することによって、ＰＫＴリソースの不足などに起因するＰＳハンドオーバの失敗を考慮せずに、第２通信システムと移動通信端末との間で第２通信呼を設定することができる。
【０１０８】
また、他の手順として、“Ｒｅｄｉｒｅｃｔｉｏｎ”や“ＳＲＶＣＣ”が用いられる場合には、第１通信システムで第１通信呼のベアラ（例えば、ＰＳベアラ）を設定する必要がないため、リソースが有効に利用される。
【０１０９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１０】
第１通信システム及び第２通信システムは、ＬＴＥやＷＣＤＭＡに対応する通信システムに限定されるものではなく、他の通信システム（例えば、ＷｉＭＡＸに対応する通信システム）であってもよい。
【０１１１】
上述した図４及び図５では、第２通信呼（ＣＳ呼）の着信について例示した。しかしながら、実施形態は、これに限定されるものではない。実施形態は、第２通信呼（ＣＳ呼）の発信にも適用することができる。
【０１１２】
上述した図４及び図５では、第１通信システムにおいて第１通信呼が設定されていないケースについて例示した。すなわち、図４及び図５では、ＵＥ１０が待ち受け状態（Ｉｄｌｅ状態）であるケースについて例示した。しかしながら、実施形態は、これに限定されるものではない。実施形態は、ＵＥ１０が通信状態（Ｃｏｎｎｅｃｔｅｄ状態）であるケースにも適用することができる。このようなケースでは、第１通信システムにおいて第１通信呼を設定する処理が省略される。
【０１１３】
上述した実施形態では、第２通信呼の一例として、通常音声呼及び緊急呼の２種類について例示した。しかしながら、実施形態は、これに限定されるものではない。実施形態は、第２通信呼の優先度が３つ以上であるケースにも適用することができる。
【０１１４】
上述した実施形態では、ＲＮＣ１２０は、第２通信呼が緊急呼である場合に、第１通信呼のベアラ（例えば、ＰＳベアラ）を設定しない。しかしながら、実施形態は、これに限定されるものではない。ＲＮＣ１２０は、第２通信呼が緊急呼である場合に、ＤＴＣＨを設定せずにＤＣＣＨのみを設定してもよい。
【０１１５】
上述した実施形態では、ネットワーク装置３０（ｅＮＢ２１０）は、第１通信呼の設定はできないが、第２通信呼の設定は可能であることが通知された場合に、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。しかしながら、実施形態は、これに限定されるものではない。具体的には、ネットワーク装置３０（ｅＮＢ２１０）は、設定が要求された第１通信呼の優先度が第１優先度（例えば、緊急呼）である場合に、直ちに、ＰＳハンドオーバを中止して、他の手順による第２通信システムへの遷移をＵＥ１０に指示してもよい。このようなケースでは、第２通信システムに対する“ＨＡＮＤＯＶＥＲ  ＲＥＱＵＩＥＲＥＤ”の送信を省略することが可能である。
【０１１６】
上述した実施形態では、ネットワーク装置２０がＲＮＣ１２０であるケースについて例示した。しかしながら、実施形態は、これに限定されるものではない。ネットワーク装置２０は、ＳＧＳＮ１３０であってもよい。また、ネットワーク装置２０は、第２通信システムにおいて特定セル（フェムトセル、ＣＳＧセル又はホームセル）を管理するホームゲートウェイ（ＨＮＢ−ＧＷ）であってもよい。
【０１１７】
上述した実施形態では、ネットワーク装置３０がｅＮＢ２１０であるケースについて例示した。しかしながら、実施形態は、これに限定されるものではない。ネットワーク装置３０は、ＭＭＥ２３０であってもよい。また、ネットワーク装置３０は、第１通信システムにおいて特定セル（フェムトセル、ＣＳＧセル又はホームセル）を管理するホームゲートウェイ（ＨｅＮＢ−ＧＷ）であってもよい。
【０１１８】
なお、上述したネットワーク装置２０又はネットワーク装置３０の動作は、ハードウェアによって実施されてもよいし、プロセッサによって実行されるソフトウェアモジュールによって実施されてもよいし、両者の組み合わせによって実施されてもよい。
【０１１９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０又はネットワーク装置３０内に設けられていてもよい。また、かかる記憶媒体及びプロセッサは、ディスクリートコンポーネントとしてネットワーク装置２０又はネットワーク装置３０内に設けられていてもよい。
【符号の説明】
【０１２１】
１０…通信端末装置、２０…ネットワーク装置、２１…通信部、２２…識別部、２３…判定部、２４…設定部、３０…ネットワーク装置、３１…通信部、３２…優先度設定部、３３…遷移処理部、５０…コアネットワーク、１１０…ＮＢ、１１１…セル、１２０…ＲＮＣ、１３０…ＳＧＳＮ、２１０…ｅＮＢ、２１１…セル、２３０…ＭＭＥ、１００…移動通信システム
【図１】
2011166437.tif 000003
【図２】
2011166437.tif 000004
【図３】
2011166437.tif 000005
【図４】
2011166437.tif 000006
【図５】
2011166437.tif 000007
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムであって、
前記第１通信システムは、前記ハンドオーバ手順において、前記第２通信システムに対して、前記設定が要求された第２通信呼の優先度を通知するように構成されていることを特徴とする移動通信システム。
【請求項２】
前記第２通信システムは、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するように構成されており、
前記第１通信システムは、前記第１通信呼の設定はできないが、前記第２通信呼の設定は可能であることが通知された場合に、前記ハンドオーバ手順を中止して、他の手順による前記第２通信システムへの切り替えを移動通信端末に指示するように構成されていることを特徴とする請求項１に記載の移動通信システム。
【請求項３】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記ハンドオーバ手順において、前記第２通信システムに対して、前記設定が要求された第２通信呼の優先度を通知するように構成されている通知部を備えることを特徴とするネットワーク装置。
【請求項４】
前記ハンドオーバ手順において、前記第１通信呼の設定はできないが、前記第２通信呼の設定は可能であることを前記第１通信システムから受信するように構成されている受信部と、
前記第１通信呼の設定はできないが、前記第２通信呼の設定は可能であることが通知された場合に、前記ハンドオーバ手順を中止して、他の手順による前記第２通信システムへの切り替えを移動通信端末に指示するように構成されている指示部とを備えることを特徴とする請求項３に記載のネットワーク装置。
【請求項５】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記設定が要求された第２通信呼の優先度が第１優先度である場合に、前記ハンドオーバ手順を中止して、他の手順による前記第２通信システムへの切り替えを移動通信端末に指示するように構成されている指示部を備えることを特徴とするネットワーク装置。
【請求項６】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第２通信システムに設けられるネットワーク装置であって、
前記ハンドオーバ手順において、前記設定が要求された第２通信呼の優先度を識別するように構成されている識別部と、
前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するように構成されている通知部とを備えることを特徴とするネットワーク装置。
【請求項７】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムに適用される移動通信方法であって、
前記第１通信システムが、前記ハンドオーバ手順において、前記第２通信システムに対して、前記設定が要求された第２通信呼の優先度を通知するステップを備えることを特徴とする移動通信方法。
【請求項８】
前記第２通信システムが、前記第１通信システムから前記第２通信システムへの遷移手順において、前記設定が要求された第２通信呼の優先度を識別するステップと、
前記第２通信システムが、前記設定が要求された第２通信呼の優先度が第１優先度である場合に、前記第２通信システムと移動通信端末との間で第１通信呼のベアラを設定せずに、前記第１通信呼の設定はできないが、前記第２通信呼の設定は可能であることを前記第１通信システムに通知するステップと、
前記第１通信システムが、前記第１通信呼の設定はできないが、前記第２通信呼の設定は可能であることが通知された場合に、前記ハンドオーバ手順を中止して、他の手順による前記第２通信システムへの切り替えを移動通信端末に指示するステップとを更に備えることを特徴とする請求項７に記載の移動通信方法。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
ＰＳ呼をサポートしており、ＣＳ呼をサポートしていない第１通信システムと、前記ＰＳ呼及び前記ＣＳ呼の双方をサポートする第２通信システムとを備えており、前記第１通信システムにおいてＣＳ呼の設定が要求された場合に、前記第１通信システムと移動通信端末との間で設定されるＰＳ呼のベアラを前記第２通信システムと移動通信端末との間で設定されるＰＳ呼のベアラに切り替えるハンドオーバ手順を行うように構成された移動通信システムであって、
前記第１通信システムは、前記ハンドオーバ手順において、前記第２通信システムに対して、前記設定が要求されたＣＳ呼の優先度を通知するように構成されており、
前記第２通信システムは、前記設定が要求されたＣＳ呼の優先度が、緊急呼を特定する優先度である場合に、前記第２通信システムと移動通信端末との間でＰＳ呼のベアラを設定せずに、前記第１通信システムに対して、前記ＰＳ呼の設定ができないことを通知するように構成されており、
前記第１通信システムは、前記ＰＳ呼の設定ができないことが通知された場合に、前記ハンドオーバ手順を中止して、他の手順による前記第２通信システムへの切り替えを移動通信端末に指示するように構成されていることを特徴とする移動通信システム。
【請求項２】
ＰＳ呼をサポートしており、ＣＳ呼をサポートしていない第１通信システムと、前記ＰＳ呼及び前記ＣＳ呼の双方をサポートする第２通信システムとを備えており、前記第１通信システムにおいてＣＳ呼の設定が要求された場合に、前記第１通信システムと移動通信端末との間で設定されるＰＳ呼のベアラを前記第２通信システムと移動通信端末との間で設定されるＰＳ呼のベアラに切り替えるハンドオーバ手順を行うように構成された移動通信システムにおいて、前記第１通信システムに設けられるネットワーク装置であって、
前記ハンドオーバ手順において、前記第２通信システムに対して、前記設定が要求されたＣＳ呼の優先度を通知するように構成されている通知部と、
前記ハンドオーバ手順において、前記ＰＳ呼の設定ができないことを前記第２通信システムから受信するように構成されている受信部と、
前記ＰＳ呼の設定ができないことが通知された場合に、前記ハンドオーバ手順を中止して、他の手順による前記第２通信システムへの切り替えを移動通信端末に指示するように構成されている指示部とを備えることを特徴とするネットワーク装置。
【請求項３】
ＰＳ呼をサポートしており、ＣＳ呼をサポートしていない第１通信システムと、前記ＰＳ呼及び前記ＣＳ呼の双方をサポートする第２通信システムとを備えており、前記第１通信システムにおいてＣＳ呼の設定が要求された場合に、前記第１通信システムと移動通信端末との間で設定されるＰＳ呼のベアラを前記第２通信システムと移動通信端末との間で設定されるＰＳ呼のベアラに切り替えるハンドオーバ手順を行うように構成された移動通信システムにおいて、前記第１通信システムに設けられるネットワーク装置であって、
前記設定が要求されたＣＳ呼の優先度が、緊急呼を特定する優先度である場合に、前記ハンドオーバ手順を中止して、他の手順による前記第２通信システムへの切り替えを移動通信端末に指示するように構成されている指示部を備えることを特徴とするネットワーク装置。
【請求項４】
ＰＳ呼をサポートしており、ＣＳ呼をサポートしていない第１通信システムと、前記ＰＳ呼及び前記ＣＳ呼の双方をサポートする第２通信システムとを備えており、前記第１通信システムにおいてＣＳ呼の設定が要求された場合に、前記第１通信システムと移動通信端末との間で設定されるＰＳ呼のベアラを前記第２通信システムと移動通信端末との間で設定されるＰＳ呼のベアラに切り替えるハンドオーバ手順を行うように構成された移動通信システムにおいて、前記第２通信システムに設けられるネットワーク装置であって、
前記ハンドオーバ手順において、前記設定が要求されたＣＳ呼の優先度を識別するように構成されている識別部と、
前記設定が要求されたＣＳ呼の優先度が、緊急呼を特定する優先度である場合に、前記第２通信システムと移動通信端末との間でＰＳ呼のベアラを設定せずに、前記ＰＳ呼の設定ができないことを前記第１通信システムに通知するように構成されている通知部とを備えることを特徴とするネットワーク装置。
【請求項５】
ＰＳ呼をサポートしており、ＣＳ呼をサポートしていない第１通信システムと、前記ＰＳ呼及び前記ＣＳ呼の双方をサポートする第２通信システムとを備えており、前記第１通信システムにおいてＣＳ呼の設定が要求された場合に、前記第１通信システムと移動通信端末との間で設定されるＰＳ呼のベアラを前記第２通信システムと移動通信端末との間で設定されるＰＳ呼のベアラに切り替えるハンドオーバ手順を行うように構成された移動通信システムに適用される移動通信方法であって、
前記第１通信システムが、前記ハンドオーバ手順において、前記第２通信システムに対して、前記設定が要求されたＣＳ呼の優先度を通知するステップと、
前記第２通信システムが、前記第１通信システムから前記第２通信システムへの遷移手順において、前記設定が要求されたＣＳ呼の優先度を識別するステップと、
前記第２通信システムが、前記設定が要求されたＣＳ呼の優先度が第１優先度である場合に、前記第２通信システムと移動通信端末との間でＰＳ呼のベアラを設定せずに、前記第１通信システムに対して、前記ＰＳ呼の設定ができないことを通知するステップと、
前記第１通信システムが、前記ＰＳ呼の設定ができないことが通知された場合に、前記ハンドオーバ手順を中止して、他の手順による前記第２通信システムへの切り替えを移動通信端末に指示するステップとを更に備えることを特徴とする移動通信方法。